(57)【要約】【課題】需要者に対するインパクトが強く、販売促進に寄与しうるタバコ自動販売機用の商品見本体を提供する。【解決手段】商品見本体１は、支持板２表面の両側縁と下端縁に沿って上端を開放した案内溝４，３を設けた装着部材５と、少なくとも両側縁と下端縁を除く部分にやタバコ名８ａやデザイン８ｂなどを表示し表面側に突出形成した商品表示部８を設けた商品表示部材９とからなる。また、前記商品見本体１は、商品表示部材９の幅を前記装着部材５の支持板２の幅より若干短く形成し、この商品表示部材９の両側縁を、前記装着部材５の前記係合溝部４，４の開放した上端から下に向かって挿入し、商品表示部材９の下端縁が装着部材５下端の係合溝部４に達し係合するように構成される。【選択図】図１
2007316883.tif 000002
【特許請求の範囲】
【請求項１】
支持板の表面両側に係合溝部を設けた装着部材と、表面にタバコのデザインを表示し表面側に突出形成した商品表示部を設けるとともに、上部には宣伝広告文などを表示した販売促進表示部を設けた商品表示部材とからなり、この商品表示部材の幅を前記装着部材の支持板の幅より若干短く形成し、前記商品表示部材の両側縁を前記係合溝部の上端から下に向かって挿入可能となして、商品表示部材を装着部材に交換可能に装着したタバコ自動販売機用の商品見本体。
【請求項２】
商品表示部材の商品表示部を支持板と平行に位置するように突出形成したことを特徴とする請求項１に記載のタバコ自動販売機用の商品見本体。
【請求項３】
販売促進部表示部は切り取り部を介して分離可能に設けたことを特徴とする請求項１又は請求項２に記載のタバコ自動販売機用の商品見本体。
【発明の詳細な説明】
【技術分野】
【０００１】
本発明は、タバコ自動販売機のステージに配置するようになした装着部材に、タバコのデザインを表示した商品表示部材を交換可能に装着してなるタバコ自動販売機用の商品見本体に関する。
【背景技術】
【０００２】
従来のタバコ自動販売機用の商品見本体には、支持板の表面周辺部に案内溝を設け、タバコのデザインを表示した見本シートを、前記支持体の案内溝に挿入可能となして、交換可能にしたものがある。
【特許文献１】特開２００５−３４６３６３号公報
【発明の開示】
【発明が解決しようとする課題】
【０００３】
上記従来の商品見本体は、薄い平面的な見本シートを用いているので、商品を選ぶ需要者に対するインパクトが弱いという問題があった。本発明は、このような事情に鑑みてなされたもので、上部に販売促進表示を設けた立体的な商品表示部材を用いることによって需要者に対するインパクトが強く、販売促進に寄与しうるタバコ自動販売機用の商品見本体を提供することを目的とする。
【課題を解決するための手段】
【０００４】
前記目的を達成するために、本発明の請求項１に係るタバコ自動販売機用の商品見本体は、支持板の表面両側に係合溝部を設けた装着部材と、表面にタバコのデザインを表示し表面側に突出形成した商品表示部を設けるとともに、上部には宣伝広告文などを表示した販売促進表示部を設けた商品表示部材とからなり、この商品表示部材の幅を前記装着部材の支持板の幅より若干短く形成し、前記商品表示部材の両側縁を前記係合溝部の上端から下に向かって挿入可能となして、商品表示部材を装着部材に交換可能に装着したものである。
【０００５】
また、同じく前記目的を達成するために、本発明の請求項２に係るタバコ自動販売機用の商品見本体は、請求項１に記載の構成に加えて、商品表示部材の商品表示部を支持板と平行に位置するように突出形成したことを特徴とするものである。
【０００６】
さらに、同じく前記目的を達成するために、本発明の請求項３に係るタバコ自動販売機用の商品見本体は、請求項１又は請求項２に記載の構成に加えて、販売促進表示部は切り取り部を介して分離可能に設けたことを特徴とするものである。
【発明の効果】
【０００７】
本発明の請求項１に係るタバコ自動販売機用の商品見本体によれば、商品表示部材のタバコのデザインを表示した商品表示部が表面側に突出するとともに、販売促進表示部を設けたので、これを見た需要者に対するインパクトが強く、販売促進に寄与しうるという効果を奏する。
【０００８】
また、本発明の請求項２に係るタバコ自動販売機用の商品見本体によれば、請求項１に係る発明の効果に加えて、商品であるタバコの形状に近似し、より需要者に対するインパクトが強いという効果を奏する。
【０００９】
さらに、本発明の請求項３に係るタバコ自動販売機用の商品見本体によれば、請求項１及び請求項２に係る発明の効果に加えて、販売促進キャンペーンが終了することなどにより販売促進表示部が不要になったときに、販売促進表示部を容易に除去できるという効果を奏する。
【発明を実施するための最良の形態】
【００１０】
以下に、本発明の好適な実施形態を添付図面の図１〜図５に基づいて詳細に説明する。ここにおいて、図１は商品見本体の斜視図、図２は装着部材の斜視図、図３は装着部材の縦断面図、図４は装着部材の横断面図、図５は商品表示部材の正面図、図６は商品表示部材の縦断面図である。また、図７は商品表示部材の他の実施形態を示す縦断面図である。
【００１１】
図１〜図６に示すように、商品見本体１は、前面の支持板２と背板３を備え、前記支持板２の表面には、両側縁と下端縁に沿って、上端を開放した係合溝部４，４を設けた装着部材５と、少なくとも両側縁６，６と下端縁７（図４参照）を除く部分にタバコ名８ａやデザイン８ｂなどを表示し、表面側に突出形成した商品表示部８を設けた商品表示部材９とからなる。
【００１２】
図１に示すように、前記商品見本体１は、商品表示部材９の幅を前記装着部材５の支持板２の幅より若干短く形成し、この商品表示部材９の両側縁６，６を、前記装着部材５の前記係合溝部４，４の開放した上端から下に向かって挿入し、商品表示部材９の下端縁７が装着部材５の支持板２下端の係合溝部４に達し係合するように構成される。この係合状態で商品表示部材９の商品表示部８は支持板２と平行に位置する。
【００１３】
図２〜図４に示すように、前記装着部材５は、透明なプラスチックで一体成形したものであり、前記支持板２と背板３とを、上部においては連結バー１０，１０で連繋し、下部においては連結板１１，１１で連繋して、上下両面及び両側面を開放した四角い箱形に形成する。
【００１４】
図５及び図６に示すように、商品表示部材９の上部には、需要者の興味をひき購買意欲を高めるためのキャッチフレーズなどの宣伝広告文１２ａを表示した表示部１２を設けた販売促進表示部１３を切り取り部たるミシン目１４を介して一体的に連接する。この販売促進表示部１３の表示部１２は、前記商品表示部材９と同様に、表面側に突出形成してある。
【００１５】
以上にように構成した商品見本体１は、販売促進表示部１３を有するとともに、商品表示部材９は立体的に表面側に突出形成されているので、例えば、タバコ自動販売機で新製品を販売するときなどに好適であって、従来から販売している他のタバコの見本シートを利用した商品見本体に比べて目立つとともに、需要者の興味をひくものである。なお、前記販売促進表示部１３は、その宣伝広告文１２ａが不要になったときは、ミシン目１４を破断して分離することができる。
【００１６】
次に、図７に基づいて、商品表示部材の他の実施形態を説明する。この商品表示部材５０は、両側縁（図示せず）と下縁５１を除く部分にタバコ名及びタバコのデザイン（図示せず）を表示し、その下部を除いて表面側に突出形成した商品表示部５２を設けるとともに、前記商品表示部５２の突出部分は傾斜面５２ａを形成する。また、その上部には、需要者の興味をひき購買意欲を高めるための宣伝広告文（図示せず）を表示し、表面側に突出形成した表示部５３を有する販売促進表示部５４を切り取り部たるミシン目５５を介して一体的に連接する。この商品表示部材５０の幅は、前記実施形態の商品表示部材９と同様に、装着部材５の支持板２の幅より若干短く形成し、その両側縁を、前記装着部材５の前記係合溝部４，４の開放した上端から下に向かって挿入し、その下端縁５１が支持板２下端の係合溝部４に達し係合するように構成してある。
【００１７】
なお、本発明は上述の実施形態に限定されるものではなく、例えば、販売促進表示部１３，５４の表示部１２，５３の宣伝広告文１２ａに換えて、人の目を引く図案などの各種デザインであってもよいほか、販売促進表示部１３，５４は分離できなくともよい。また、係合溝部４，４は支持板２の両側縁に沿って設け、下端を閉塞した構成でもよい。
【図面の簡単な説明】
【００１８】
【図１】商品見本体の斜視図。
【図２】装着部材の斜視図。
【図３】装着部材の縦断面図。
【図４】装着部材の横断面図。
【図５】商品表示部材の正面図。
【図６】商品表示部材の縦断面図。
【図７】商品表示部材の他の実施形態を示す縦断面図
【符号の説明】
【００１９】
１    商品見本体
２    支持板
３    背板
４    係合溝部
５    装着部材
６    側縁
７    下端縁
８    商品表示部
９    商品表示部材
１０    連結バー
１１    連結板
１２    表示部
１２ａ    宣伝広告文
１３    販売促進表示部
１４    ミシン目
５０    商品表示部材
５１    下端縁
５２    商品表示部
５２ａ    傾斜面
５３    表示部
５４    販売促進表示部
５５    ミシン目
【図１】
2007316883.tif 000003
【図２】
2007316883.tif 000004
【図３】
2007316883.tif 000005
【図４】
2007316883.tif 000006
【図５】
2007316883.tif 000007
【図６】
2007316883.tif 000008
【図７】
2007316883.tif 000009